(57)【要約】【課題】障子全体を当該障子の面外方向の一方側に引き寄せるとともに、当該障子を円滑に移動すること。【解決手段】第１の枠材２１及び障子３には、障子３が枠体２内の開口を閉塞する閉位置に移動する際に、障子３を障子３の面外方向の一方側にそれぞれ引き寄せる第１，第２引寄せ機構５，６が設けられている。第１，第２引寄せ機構５，６は、建具１の見込み方向の異なる位置にそれぞれ設けられているとともに、第１の枠材２１の長手方向の異なる位置にそれぞれ設けられている。【選択図】図４Ａ
2019085757.tif 000002
【特許請求の範囲】
【請求項１】
複数の枠材が枠組みされた枠体と、当該枠体内に移動可能に配置された障子とを備えた建具であって、
前記複数の枠材のうち第１の枠材及び前記障子には、
当該障子が前記枠体内の開口を閉塞する閉位置に移動する際に、当該障子を当該障子の面外方向の一方側にそれぞれ引き寄せる第１引寄せ機構及び第２引寄せ機構が設けられ、
前記第１引寄せ機構及び前記第２引寄せ機構は、
当該建具の見込み方向の異なる位置にそれぞれ設けられているとともに、前記第１の枠材の長手方向の異なる位置にそれぞれ設けられている
ことを特徴とする建具。
【請求項２】
前記第１の枠材には、
前記長手方向に沿って延在し、前記障子の移動を案内する案内溝が設けられ、
前記第１引寄せ機構は、
前記障子に設けられた突起部と、
前記第１の枠材に設けられた第１受け部材とを備え、
前記突起部は、
前記障子から前記第１の枠材に向けて突出して前記案内溝内に挿入され、
前記第１受け部材は、
前記案内溝内に設けられ、前記障子が前記閉位置に移動する際に、前記突起部に当接して当該突起部を前記一方側に案内する第１案内面を有し、
前記第２引寄せ機構は、
前記案内溝外に設けられている
ことを特徴とする請求項１に記載の建具。
【請求項３】
前記突起部は、
前記障子が前記閉位置以外の位置で移動する際に、前記案内溝内を摺動して当該障子の移動を案内し、
前記第１受け部材は、
前記案内溝に対して当該案内溝の延在方向に連通する引寄せ溝を有し、
前記第１案内面は、
前記引寄せ溝の側面である
ことを特徴とする請求項２に記載の建具。
【請求項４】
前記第２引寄せ機構は、
前記障子に設けられた引寄せ片と、
前記第１の枠材に設けられた第２受け部材とを備え、
前記引寄せ片は、
前記一方側とは逆方向に突出する凸部を有し、
前記第２受け部材は、
前記障子が前記閉位置に移動する際に、前記凸部に当接して当該凸部を前記一方側に案内する第２案内面を有する
ことを特徴とする請求項１〜３のいずれか一つに記載の建具。
【請求項５】
前記第１の枠材には、
前記枠体の内周側に突出し、前記長手方向に沿って延在するレールが設けられ、
前記レールには、
前記長手方向に沿って延在し、前記障子の移動を案内する案内溝が設けられ、
前記第２受け部材は、
前記レールにおける前記案内溝外の外面に設けられ、
前記凸部は、
前記障子が前記閉位置以外の位置で移動する際に、前記外面上を摺動する
ことを特徴とする請求項４に記載の建具。
【請求項６】
前記第１の枠材及び前記障子には、
当該障子が前記閉位置以外の位置に位置する際に、当該障子の前記一方側への移動を規制するガタ防止機構が設けられ、
前記ガタ防止機構は、
前記第１引寄せ機構及び前記第２引寄せ機構とは前記見込み方向の異なる位置に設けられている
ことを特徴とする請求項１〜５のいずれか一つに記載の建具。
【請求項７】
前記ガタ防止機構は、
前記障子に設けられた摺動機構と、
前記第１の枠材に設けられた第３受け部材とを備え、
前記摺動機構は、
前記障子に固定される支持部材と、
前記支持部材に対して回動可能に軸支され、回動することで前記第１の枠材に当接して前記障子の前記一方側への移動を規制する摺動位置、及び、前記第１の枠材から離間する非摺動位置にそれぞれ位置付けられる摺動片と、
前記摺動片を前記摺動位置に向けて付勢する付勢部材とを備え、
前記第３受け部材は、
前記障子が前記閉位置に移動する際に、前記摺動片に当接し、前記付勢部材の付勢力に抗して当該摺動片を前記非摺動位置に回動させる第３案内面を有する
ことを特徴とする請求項６に記載の建具。
【請求項８】
前記第１の枠材には、
前記枠体の内周側に突出し、前記長手方向に沿って延在するレールが設けられ、
前記レールには、
前記長手方向に沿って延在し、前記障子の移動を案内する案内溝が設けられ、
前記第３受け部材は、
前記レールにおける前記案内溝外の外面に設けられ、
前記摺動片は、
前記障子が前記閉位置以外の位置で移動する際に、前記付勢部材にて前記摺動位置に位置付けられ、前記外面上を摺動する
ことを特徴とする請求項７に記載の建具。
【発明の詳細な説明】
【技術分野】
【０００１】
本発明は、複数の枠材が枠組みされた枠体と、当該枠体内に移動可能に配置された障子とを備えた片引き窓等の建具に関する。
【背景技術】
【０００２】
従来、片引き窓等の建具において、障子が枠体内の開口を閉塞する閉位置に移動する際に、当該障子を当該障子の面外方向の一方側に引き寄せる引寄せ機構を設けた構成が知られている（例えば、特許文献１参照）。
特許文献１に記載の引寄せ機構は、枠体の上枠、及び障子の縦框の上端に設けられている。また、当該引寄せ機構は、枠体の上枠、及び障子の縦框の上端において、戸先側に設けられた第１引寄せ機構と、戸尻側に設けられた第２引寄せ機構とを備える。
具体的に、第１引寄せ機構は、障子の縦框の上端に設けられたころと、上枠に設けられたガイド片とを備える。ここで、ガイド片は、戸先側に向かうにしたがって室内側に傾斜したテーパ面を有する。そして、障子が閉位置に移動する際に、ころは、テーパ面上を転動する。これにより、障子は、室内側に引き寄せられる。
また、第２引寄せ機構は、第１引寄せ機構と同一の構成を有する。そして、第１，第２引寄せ機構は、上枠の長手方向に平行な同一の直線上にそれぞれ配設されている。
【先行技術文献】
【特許文献】
【０００３】
【特許文献１】実公昭５８−５３９０６号公報
【発明の概要】
【発明が解決しようとする課題】
【０００４】
しかしながら、例えば、枠体内の開口が大きい（障子の幅寸法が大きい）建具に対して、上述した引寄せ機構を設けた場合には、以下に示す問題がある。
戸先側及び戸尻側に上述した第１，第２引寄せ機構をそれぞれ設けた場合には、障子の戸先側及び戸尻側については、当該障子の面外方向の一方側（例えば、室内側）に引き寄せることができる。しかしながら、障子の幅寸法が大きいため、障子の戸先側及び戸尻側の中央部分については、当該一方側に引き寄せることができない。すなわち、障子全体を当該一方側に引寄せることができない、という第１の問題がある。
また、第１の問題を解決するために、上述した第１，第２引寄せ機構の離間距離を狭めることが考えられる。しかしながら、第１，第２引寄せ機構は、上枠の長手方向に平行な同一の直線上にそれぞれ配設されている。このため、障子を移動する際に、第１，第２引寄せ機構の一方の引寄せ機構のころが他方の引寄せ機構のガイド片に干渉してしまう。すなわち、障子を円滑に移動することができない、という第２の問題がある。
【０００５】
本発明は、上記実情に鑑みて、障子全体を当該障子の面外方向の一方側に引き寄せることができるとともに、当該障子を円滑に移動することができる建具を提供することを目的とする。
【課題を解決するための手段】
【０００６】
上記目的を達成するため、本発明に係る建具は、複数の枠材が枠組みされた枠体と、当該枠体内に移動可能に配置された障子とを備えた建具であって、前記複数の枠材のうち第１の枠材及び前記障子には、当該障子が前記枠体内の開口を閉塞する閉位置に移動する際に、当該障子を当該障子の面外方向の一方側にそれぞれ引き寄せる第１引寄せ機構及び第２引寄せ機構が設けられ、前記第１引寄せ機構及び前記第２引寄せ機構は、当該建具の見込み方向の異なる位置にそれぞれ設けられているとともに、前記第１の枠材の長手方向の異なる位置にそれぞれ設けられていることを特徴とする。
【０００７】
以下では、説明の便宜上、障子の面外方向の一方側を「第１の方向」と記載し、当該一方側とは逆方向を「第２の方向」と記載する。
本発明では、第１，第２引寄せ機構は、建具の見込み方向の異なる位置にそれぞれ設けられているとともに、第１の枠材の長手方向の異なる位置にそれぞれ設けられている。このため、枠体の開口が大きい建具に対して当該第１，第２引寄せ機構を設ける場合に、障子全体を第１の方向に引き寄せるために、当該第１，第２引寄せ機構の離間距離を狭めることができる。具体的に、第１，第２引寄せ機構が第１の枠材の長手方向に平行する異なる２つの直線上にそれぞれ配置されているため、当該第１，第２引寄せ機構の離間距離を狭めた場合であっても、障子を移動する際に、第１，第２引寄せ機構が互いに干渉することがない。
したがって、本発明に係る建具によれば、障子全体を第１の方向に引き寄せることができるとともに、当該障子を円滑に移動することができる。
【０００８】
また、本発明は、上述した建具において、前記第１の枠材には、前記長手方向に沿って延在し、前記障子の移動を案内する案内溝が設けられ、前記第１引寄せ機構は、前記障子に設けられた突起部と、前記第１の枠材に設けられた第１受け部材とを備え、前記突起部は、前記障子から前記第１の枠材に向けて突出して前記案内溝内に挿入され、前記第１受け部材は、前記案内溝内に設けられ、前記障子が前記閉位置に移動する際に、前記突起部に当接して当該突起部を前記一方側に案内する第１案内面を有し、前記第２引寄せ機構は、前記案内溝外に設けられていることを特徴とする。
本発明では、第１引寄せ機構は、案内溝内に挿入される上述した突起部と、案内溝内に設けられる上述した第１案内面とを備える。一方、第２引寄せ機構は、案内溝外に設けられる。このため、障子を移動する際に、第１，第２引寄せ機構が互いに干渉することをより確実に防止することができる。
【０００９】
また、本発明は、上述した建具において、前記突起部は、前記障子が前記閉位置以外の位置で移動する際に、前記案内溝内を摺動して当該障子の移動を案内し、前記第１受け部材は、前記案内溝に対して当該案内溝の延在方向に連通する引寄せ溝を有し、前記第１案内面は、前記引寄せ溝の側面であることを特徴とする。
本発明では、突起部は、障子が閉位置以外の位置で移動する際に、案内溝内を摺動して当該障子の移動を案内する。すなわち、障子を第１の方向に引き寄せる機能（以下、引寄せ機能と記載）の他、障子の移動を案内する機能（以下、ガイド機能と記載）を突起部に持たせることができる。このため、引寄せ機能を有する部材とガイド機能を有する部材とを別個に設ける必要がなく、部品点数を削減することができる。
また、突起部は、障子が閉位置以外の位置で移動する際に、案内溝内を摺動する。このため、当該突起部が設けられた障子の部位において、当該障子が閉位置以外の位置で移動する際に、当該障子が当該障子の面外方向にがたつくことを抑制することができる。
【００１０】
また、本発明は、上述した建具において、前記第２引寄せ機構は、前記障子に設けられた引寄せ片と、前記第１の枠材に設けられた第２受け部材とを備え、前記引寄せ片は、前記一方側とは逆方向に突出する凸部を有し、前記第２受け部材は、前記障子が前記閉位置に移動する際に、前記凸部に当接して当該凸部を前記一方側に案内する第２案内面を有することを特徴とする。
本発明では、第２引寄せ機構は、上述した引寄せ片と上述した第２受け部材を備える。このため、第２引寄せ機構の構成を簡素化することができる。
【００１１】
また、本発明は、上述した建具において、前記第１の枠材には、前記枠体の内周側に突出し、前記長手方向に沿って延在するレールが設けられ、前記レールには、前記長手方向に沿って延在し、前記障子の移動を案内する案内溝が設けられ、前記第２受け部材は、前記レールにおける前記案内溝外の外面に設けられ、前記凸部は、前記障子が前記閉位置以外の位置で移動する際に、前記外面上を摺動することを特徴とする。
本発明では、凸部は、障子が閉位置以外の位置で移動する際に、レールにおける案内溝外の外面上を摺動する。このため、引寄せ片が設けられた障子の部位において、当該障子が閉位置以外の位置で移動する際に、当該障子が第２の方向にがたつくことを抑制することができる。
【００１２】
また、本発明は、上述した建具において、前記第１の枠材及び前記障子には、当該障子が前記閉位置以外の位置に位置する際に、当該障子の前記一方側への移動を規制するガタ防止機構が設けられ、前記ガタ防止機構は、前記第１引寄せ機構及び前記第２引寄せ機構とは前記見込み方向の異なる位置に設けられていることを特徴とする。
本発明では、第１の枠材及び障子には、当該障子が閉位置以外の位置に位置する際に、当該障子の第１の方向への移動を規制するガタ防止機構が設けられている。このため、ガタ防止機構が設けられた障子の部位において、障子が閉位置以外の位置で移動する際に、当該障子が第１の方向にがたつくことを抑制することができる。
また、ガタ防止機構は、第１，第２引寄せ機構とは建具の見込み方向の異なる位置に設けられている。このため、障子を移動する際に、第１，第２引寄せ機構及びガタ防止機構が互いに干渉することを抑制し、障子を円滑に移動することができる。
【００１３】
また、本発明は、上述した建具において、前記ガタ防止機構は、前記障子に設けられた摺動機構と、前記第１の枠材に設けられた第３受け部材とを備え、前記摺動機構は、前記障子に固定される支持部材と、前記支持部材に対して回動可能に軸支され、回動することで前記第１の枠材に当接して前記障子の前記一方側への移動を規制する摺動位置、及び、前記第１の枠材から離間する非摺動位置にそれぞれ位置付けられる摺動片と、前記摺動片を前記摺動位置に向けて付勢する付勢部材とを備え、前記第３受け部材は、前記障子が前記閉位置に移動する際に、前記摺動片に当接し、前記付勢部材の付勢力に抗して当該摺動片を前記非摺動位置に回動させる第３案内面を有することを特徴とする。
本発明では、ガタ防止機構は、上述した摺動機構と上述した第３受け部材とを備える。すなわち、摺動片は、障子が閉位置に移動する際には、第３案内面により、付勢部材の付勢力に抗して非摺動位置に位置付けられる。このため、第１，第２引寄せ機構による障子の第１の方向への引き寄せが可能となる。一方、摺動片は、障子が閉位置以外の位置に移動する際には、付勢部材により、摺動位置に位置付けられる。このため、摺動片による障子の第１の方向への移動規制が可能となる。したがって、障子の位置に応じた摺動片の回動位置の変更を簡素な構成で容易に実現することができる。
【００１４】
また、本発明は、上述した建具において、前記第１の枠材には、前記枠体の内周側に突出し、前記長手方向に沿って延在するレールが設けられ、前記レールには、前記長手方向に沿って延在し、前記障子の移動を案内する案内溝が設けられ、前記第３受け部材は、前記レールにおける前記案内溝外の外面に設けられ、前記摺動片は、前記障子が前記閉位置以外の位置で移動する際に、前記付勢部材にて前記摺動位置に位置付けられ、前記外面上を摺動することを特徴とする。
本発明では、摺動片は、障子が閉位置以外の位置で移動する際に、付勢部材にて摺動位置に位置付けられ、レールにおける案内溝外の外面上を摺動する。このため、摺動片が設けられた障子の部位において、当該障子が閉位置以外の位置で移動する際に、当該障子が第１の方向にがたつくことを抑制することができる。
【発明の効果】
【００１５】
本発明に係る建具によれば、障子全体を第１の方向に引き寄せることができるとともに、当該障子を円滑に移動することができる。
【図面の簡単な説明】
【００１６】
【図１】本実施の形態に係る建具を室内側から見た図である。
【図２】建具の縦断面図である。
【図３】建具の横断面図である。
【図４Ａ】上レール部、障子、第１，第２引寄せ機構、及びガタ防止機構の位置関係を示す図である。
【図４Ｂ】上レール部、障子、第１，第２引寄せ機構、及びガタ防止機構の位置関係を示す図である。
【図５】第１引寄せ機構を示す斜視図である。
【図６】第１受け部材を示す斜視図である。
【図７】第２引寄せ機構を示す斜視図である。
【図８Ａ】摺動機構を示す図である。
【図８Ｂ】摺動機構を示す図である。
【図９Ａ】摺動機構を示す図である。
【図９Ｂ】摺動機構を示す図である。
【図１０】第３受け部材を示す斜視図である。
【図１１Ａ】第１引寄せ機構の動作を示す図である。
【図１１Ｂ】第１引寄せ機構の動作を示す図である。
【図１２Ａ】第２引寄せ機構の動作を示す図である。
【図１２Ｂ】第２引寄せ機構の動作を示す図である。
【図１３Ａ】ガタ防止機構の動作を示す図である。
【図１３Ｂ】ガタ防止機構の動作を示す図である。
【図１４Ａ】ガタ防止機構の動作を示す図である。
【図１４Ｂ】ガタ防止機構の動作を示す図である。
【図１５Ａ】戸車の動作を示す図である。
【図１５Ｂ】戸車の動作を示す図である。
【発明を実施するための形態】
【００１７】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１８】
〔建具の概略構成〕
図１は、本実施の形態に係る建具１を室内側から見た図である。図２は、建具１の縦断面図である。図３は、建具１の横断面図である。
なお、以下で記載する「見込み方向」は、図２，図３の矢印Ａｒで示すように、建具１の奥行きに沿った方向である。見込み方向に沿った平面については、見込み面と称し、見込み方向に直交する平面については、見付け面と称する。
建具１は、片引き窓で構成され、枠体２と、障子３と、固定面材４とを備える。
【００１９】
枠体２は、上枠２１、下枠２２、障子３の戸先側に位置する戸先側縦枠２３、及び障子３の戸尻側に位置する戸尻側縦枠２４を四周枠組みすることによって構成され、建物の開口部（図示略）の縁部に沿うように取り付けられる。また、枠体２は、上枠２１及び下枠２２に架け渡された方立枠２５（図３）を備える。そして、上枠２１、下枠２２、戸先側縦枠２３、及び戸尻側縦枠２４で構成される開口Ｏｐは、方立枠２５により、第１，第２開口Ｏｐ１，Ｏｐ２の２つの開口に区画される。なお、第１開口Ｏｐは、本発明に係る開口に相当する。
これら各枠材２１〜２５は、木材、塩化ビニル樹脂（ＰＶＣ）等の樹脂材料、アルミニウム等の金属材料等で構成されている。
【００２０】
ここで、上枠２１は、本発明に係る第１の枠材に相当する。そして、上枠２１における下方側の見込み面２１ａの室内側には、上レール部２６（図２）が固定されている。
上レール部２６は、本発明に係るレールに相当する。この上レール部２６は、基部２６１と、内突出部２６２と、外突出部２６３とを備える。
基部２６１は、上枠２１と略同一の全長を有する長尺状の平板で構成され、見込み面２１ａに固定される部分である。
内突出部２６２及び外突出部２６３は、基部２６１の下方側の面からそれぞれ突出するとともに当該基部２６１の長手方向の略全長に亘ってそれぞれ延在する。なお、外突出部２６３は、内突出部２６２に対して室外側に位置し、当該内突出部２６２に対して見込み方向に互いに対向する。
そして、基部２６１、内突出部２６２、及び外突出部２６３で囲まれる溝部は、障子３の移動を案内する本発明に係る案内溝２６４として機能する。
【００２１】
また、下枠２２において、上レール部２６に対向する位置には、下枠２２と略同一の全長を有し、障子３の移動を案内する下レール部２７（図２）が設けられている。
さらに、第１開口Ｏｐ１を形成する上枠２１、下枠２２、及び戸先側縦枠２３には、枠体２の内周側（上枠２１では下方側、下枠２２では上方側、戸先側縦枠２３では図３中、右側）に突出する対向部２１１（図１１Ａ参照），２２１（図１５Ａ参照），２３１（図３）がそれぞれ設けられている。
これら対向部２１１，２２１，２３１における室内側の見付け面２１１ａ，２２１ａ，２３１ａ、及び方立枠２５における室内側の見付け面２５ａは、同一平面上に位置するとともに、互いに連結されて一繋がりとなる。そして、当該見付け面２１１ａ，２２１ａ，２３１ａ，２５ａは、障子３が第１開口Ｏｐ１を閉塞する閉位置に位置した状態（図１，図３に示した状態）で、障子３に対して見込み方向に対向する。また、当該見付け面２１１ａ，２２１ａ，２３１ａ，２５ａには、無端状のシール材Ｓが取り付けられている。本実施の形態では、シール材Ｓとして、シール基部Ｓ１の室内側にチューブ状の圧接部Ｓ２を有した定形のものを採用している。
また、第２開口Ｏｐ２を形成する上枠２１、下枠２２、戸尻側縦枠２４、及び方立枠２５には、固定面材４を固定するための固定部２１２，２２２，２４１，２５１がそれぞれ設けられている。
【００２２】
障子３は、開口ＯＰ内において、固定面材４及び方立枠２５に対して室内側に位置し、上，下レール部２６，２７に沿って図１，図３中、左右方向に移動可能に取り付けられている。この障子３は、ガラス材等の面材３１と、框部材３２とを備える。
框部材３２は、上框３３と、下框３４と、戸先框３５と、召合せ框３６とを框組みすることにより構成され、内部で面材３１の外周縁部を保持する。
これら各框材３３〜３６は、木材、塩化ビニル樹脂（ＰＶＣ）等の樹脂材料、アルミニウム等の金属材料等で構成されている。
【００２３】
ここで、障子３の上端（上框３３、戸先框３５、及び召合せ框３６の上端）には、障子３の幅方向（図１中、左右方向）の全長に亘って延在し、上レール部２６が挿入される溝部３７（図２）が設けられている。
また、下框３４には、当該下框３４から一部が下方に突出し、下レール部２７上を転動する戸車３８（図２）が設けられている。本実施の形態では、戸車３８は、下框３４の長手方向に平行な軸を中心として回動可能とし、下レール部２７に対して傾斜可能に構成されている（図１５Ａ，図１５Ｂ参照）。
さらに、戸先框３５には、グレモン錠Ｌ１（図３）が設けられている。また、戸先框３５における室内側の見付け面３５ａには、グレモン錠Ｌ１を操作する操作ハンドルＬ２が設けられている。そして、障子３が閉位置に位置した状態で、操作ハンドルＬ２を操作すると、グレモン錠Ｌ１は、戸先側縦枠２３に設けられた錠受けＬ３に係合する。これにより、障子３は、第１開口Ｏｐ１を閉塞した状態に保持される。
【００２４】
また、召合せ框３６及び方立枠２５には、障子３が閉位置に位置した際に、互いに係合する係合構造Ｌ４（図３）が設けられている。
係合構造Ｌ４は、召合せ框３６に設けられた係合片Ｌ５と、方立枠２５に設けられた係合受け部Ｌ６とを備える。
係合片Ｌ５は、断面Ｕ字形状を有し、召合せ框３６における室外側の見付け面３６ａから室外側に突出するとともに、Ｕ字形状の開口部分が戸先側を向く姿勢で、見付け面３６ａに固定される。
係合受け部Ｌ６は、平板状の基部Ｌ６１と、当該基部Ｌ６１における戸尻側の縁部から室内側に屈曲して延在した案内片Ｌ６２とを備える。
そして、障子３を閉位置に移動させると、係合片Ｌ５は、案内片Ｌ６２に当接するとともに当該案内片Ｌ６２にて室外側に引き寄せられ、基部Ｌ６１が当該係合片Ｌ５内に位置することで、係合受け部Ｌ６に係合する。
【００２５】
固定面材４は、ガラス材等で構成され、四方の周縁部が各固定部２１２，２２２，２４１，２５１にそれぞれ固定される。そして、固定面材４は、第２開口Ｏｐ２を閉塞する。
【００２６】
図４Ａ及び図４Ｂは、上レール部２６、障子３、第１，第２引寄せ機構５，６、及びガタ防止機構７の位置関係を示す図である。なお、図４Ａは、障子３が閉位置に位置している状態を示している。図４Ｂは、障子３が閉位置以外の位置に位置している状態を示している。
本実施の形態では、上枠２１及び上框３３には、障子３が閉位置に移動する際に、当該障子３を室外側に引き寄せる第１，第２引寄せ機構５，６が設けられている。また、上枠２１及び上框３３には、障子３が閉位置以外に位置する際に、当該障子３の室外側への移動を規制するガタ防止機構７が設けられている。
以下、第１，第２引寄せ機構５，６及びガタ防止機構７の構成について順に説明する。
【００２７】
〔第１引寄せ機構の構成〕
図５は、第１引寄せ機構５を示す斜視図である。
第１引寄せ機構５は、障子３に設けられたガイドピン５１と、上枠２１に設けられた第１受け部材５２とを備える。
ガイドピン５１は、ベース部５１１と、ピン本体５１２と、ローラ５１３とを備える。
ベース部５１１は、平面視矩形状の平板で構成され、各板面が上下方向にそれぞれ向く姿勢で上框３３における面材３１に臨む見込み面３３ａに固定される（図２）。
ピン本体５１２は、ベース部５１１の上方側の板面に立設された円柱形状を有する。そして、ピン本体５１２は、上框３３を貫通し、溝部３７内に突出するとともに、先端が案内溝２６４内に挿入される（図２）。
ローラ５１３は、案内溝２６４の幅寸法と略同一の直径を有する円環形状を有し、ピン本体５１２の先端に対して、当該ピン本体５１２の中心軸と同軸となり、当該中心軸を中心として回動可能に取り付けられている。そして、ローラ５１３は、障子３の移動に応じて案内溝２６４内を回転しながら摺動する。
以上説明したピン本体５１２及びローラ５１３は、本発明に係る突起部に相当する。
【００２８】
図６は、第１受け部材５２を示す斜視図である。
第１受け部材５２は、ベース部５２１と、第１溝形成ヒレ部５２２と、第２溝形成ヒレ部５２３とを備える。
ベース部５２１は、長尺状の平板で構成され、各板面が上下方向にそれぞれ向き、その長手方向が上レール部２６の長手方向に合致する姿勢で基部２６１の下方側の面（案内溝２６４内）に固定される。
第１溝形成ヒレ部５２２は、ベース部５２１の室外側の縁部から室外側に延在し、さらに、下方側に屈曲して延在した部分である。この第１溝形成ヒレ部５２２は、ベース部５２１の長手方向に沿って延在し、当該ベース部５２１と略同一の全長を有する。この第１溝形成ヒレ部５２２において、室内側の面には、当該第１溝形成ヒレ部５２２の長手方向の略中央部分から室内側に膨出する膨出部５２４が設けられている。この膨出部５２４の室内側の面は、第１溝形成ヒレ部５２２の長手方向の略中央部分が室外側に窪み、当該長手方向に沿ってなだらかに延在する凹曲面５２４ａで構成されている。
以下、第１溝形成ヒレ部５２２において、膨出部５２４に対して、当該第１溝形成ヒレ部５２２の長手方向の両側部分をそれぞれ張出部５２５と記載する。
そして、第１溝形成ヒレ部５２２は、一対の張出部５２５が外突出部２６３の室外側の面に当接するとともに、外突出部２６３に形成された切欠き部２６５（図４Ａ，図４Ｂ）から膨出部５２４が案内溝２６４内に位置する状態で配置される。この際、凹曲面５２４ａは、外突出部２６３の室内側の面に対して、段差なく連続する。
【００２９】
第２溝形成ヒレ部５２３は、ベース部５２１の室内側の縁部から下方側に屈曲して延在し、第１溝形成ヒレ部５２２に対向する部分である。この第２溝形成ヒレ部５２３は、ベース部５２１の長手方向の略中央部分に位置する。この第２溝形成ヒレ部５２３において、室外側の面は、凹曲面５２４ａに倣い、室外側に突出して、ベース部５２１の長手方向に沿ってなだらかに延在する凸曲面５２３ａで構成されている。
そして、第２溝形成ヒレ部５２３は、室内側の平面が内突出部２６２の室外側の面に当接した状態で配置される。この際、凸曲面５２３ａは、内突出部２６２の室外側の面に対して、段差なく連続する。
以上説明したベース部５２１、凹曲面５２４ａ、及び凸曲面５２３ａで囲まれる溝部は、案内溝２６４の長手方向に連通し、本発明に係る引寄せ溝５２６に相当する。なお、引寄せ溝５２６の幅寸法は、案内溝２６４の幅寸法と略同一に設定されている。また、凹曲面５２４ａ及び凸曲面５２３ａは、本発明に係る第１案内面に相当する。
【００３０】
〔第２引寄せ機構の構成〕
図７は、第２引寄せ機構６を示す斜視図である。
第２引寄せ機構６は、障子３に設けられた引寄せ片６１と、上枠２１に設けられた第２受け部材６２とを備える。
引寄せ片６１は、ベース部６１１と、凸部６１２とを備える。
ベース部６１１は、長尺状の平板で構成され、各板面が上下方向にそれぞれ向き、その長手方向が上框３３の長手方向に合致する姿勢で、上框３３の上端において、上レール部２６に対して室外側に固定される。
凸部６１２は、ベース部６１１の室内側の側面において、当該ベース部６１１の長手方向の略中央部分に位置し、室内側（溝部３７内）に突出した部分である。この凸部６１２の先端は、ベース部６１１の長手方向に沿ってなだらかに延在する凸曲面で構成されている。
【００３１】
第２受け部材６２は、ベース部６２１と、案内片６２２とを備える。
ベース部６２１は、長尺状の平板で構成され、各板面が上下方向にそれぞれ向き、その長手方向が上レール部２６の長手方向に合致する姿勢で、見込み面２１ａに固定される。より具体的に、基部２６１において、外突出部２６３に対して室外側の部位には、切欠き部（図示略）が形成されている。そして、ベース部６２１は、当該切欠き部を介して、見込み面２１ａに固定される。すなわち、ベース部６２１（第２受け部材６２）は、案内溝２６４外に設けられている。
案内片６２２は、ベース部６２１における下方側の面から下方に突出した部分である。この案内片６２２において、室外側の面は、室外側に突出して、ベース部６２１の長手方向に沿ってなだらかに延在する凸曲面６２２ａで構成されている。
そして、案内片６２２は、室内側の平面が外突出部２６３の室外側の面に当接した状態で配置される。この際、凸曲面６２２ａは、外突出部２６３の室外側の面に対して、段差なく連続する。
なお、凸曲面６２２ａは、本発明に係る第２案内面に相当する。
【００３２】
〔ガタ防止機構の構成〕
ガタ防止機構７は、障子３に設けられた摺動機構８と、上枠２１に設けられた第３受け部材９とを備える。
図８Ａ、図８Ｂ、図９Ａ、及び図９Ｂは、摺動機構８を示す図である。なお、図８Ａ及び図９Ａは、障子３が閉位置以外の位置に位置している場合での摺動機構８の状態を図示したものである。図８Ｂ及び図９Ｂは、障子３が閉位置に位置している場合での摺動機構８の状態を図示したものである。
摺動機構８は、支持部材８１と、回動軸８２と、摺動片８３と、コイルバネ８４とを備える。
【００３３】
支持部材８１は、各部材８２〜８４を支持しつつ、上框３３の上端において、上レール部２６に対して室内側に固定される。この支持部材８１は、支持部材本体８１１と、一対の固定部８１２とを備える。
支持部材本体８１１は、室内側に位置する室内側壁部８１１ａと、当該室内側壁部８１１ａにおける戸先側及び戸尻側の両縁部から室外側に屈曲して延在する一対の対向壁部８１１ｂと、当該室内側壁部８１１Ａの上方側の縁部から室外側に屈曲して延在する上壁部８１１ｃとを備える。そして、支持部材本体８１１は、室内側壁部８１１ａ及び一対の対向壁部８１１ｂで囲まれるＵ字状の開口が溝部３７内に臨む姿勢で配置される。
一対の固定部８１２は、一対の対向壁部８１１ｂの上方側の縁部から互いに離間する方向に延在し、上框３３の上端にそれぞれ固定される部分である。
【００３４】
回動軸８２は、円柱形状を有する。そして、回動軸８２は、一対の対向壁部８１１ｂ間に架け渡され、摺動片８３を回動可能に軸支する。
摺動片８３は、平面視矩形状の板体で構成されている。この摺動片８３において、室外側には、回動軸８２が挿通される挿通孔８３１が形成されている。そして、摺動片８３は、回動軸８２に対して回動可能に軸支され、上方側に回動して上壁部８１１ｃに当接することで摺動位置（図８Ｂ，図９Ｂ）に位置付けられ、下方側に回動することで非摺動位置（図８Ａ，図９Ａ）に位置付けられる。
コイルバネ８４は、本発明に係る付勢部材に相当する。このコイルバネ８４は、回動軸８２が挿通されるとともに、一端が室内側壁部８１１ａに当接し、他端が摺動片８３に当接する。そして、コイルバネ８４は、摺動片８３を摺動位置に向けて付勢する。
【００３５】
図１０は、第３受け部材９を示す斜視図である。
第３受け部材９は、ベース部９１と、案内片９２とを備える。
ベース部９１は、長尺状の平板で構成され、各板面が上下方向にそれぞれ向き、その長手方向が上レール部２６の長手方向に合致する姿勢で、見込み面２１ａに固定される。より具体的に、基部２６１において、内突出部２６２に対して室内側の部位には、切欠き部２６１ａ（図１４Ａ，図１４Ｂ参照）が形成されている。そして、ベース部９１は、切欠き部２６１ａを介して見込み面２１ａに固定される。すなわち、ベース部９１（第３受け部材９）は、案内溝２６４外に設けられている。
案内片９２は、ベース部９１における下方側の面から下方に突出し、ベース部９１の長手方向に沿って延在する平板状に形成されている。この案内片９２には、戸先側に向かうにしたがって下方に傾斜した傾斜面９２１が形成されている。なお、傾斜面９２１は、本発明に係る第３案内面に相当する。
【００３６】
以上説明した第１，第２引寄せ機構５，６及びガタ防止機構７は、見込み方向の異なる位置にそれぞれ設けられている。また、ガイドピン５１、引寄せ片６１、及び摺動機構８は、上框３３の上端において、戸先側から戸尻側にかけてガイドピン５１、引寄せ片６１、及び摺動機構８の順にそれぞれ設けられている。さらに、第１〜第３受け部材５２，６２，９は、見込み面２１ａにおいて、戸先側から戸尻側にかけて第１〜第３受け部材５２，６２，９の順にそれぞれ設けられている。すなわち、第１，第２引寄せ機構５，６及びガタ防止機構７は、上枠２１や上框３３の長手方向の異なる位置にそれぞれ設けられている。
【００３７】
〔第１，第２引寄せ機構及びガタ防止機構の動作〕
次に、上述した第１，第２引寄せ機構５，６及びガタ防止機構７の動作について順に説明する。
図１１Ａ及び図１１Ｂは、第１引寄せ機構５の動作を示す図である。なお、図１１Ａは、障子３が閉位置以外の位置に位置している場合での第１引寄せ機構５の動作を戸尻側から見た縦断面図である。図１１Ｂは、障子３が閉位置に位置している場合での第１引寄せ機構５の動作を戸尻側から見た縦断面図である。
障子３が閉位置以外の位置で移動している場合には、ローラ５１３は、案内溝２６４内を回転しながら摺動する（図１１Ａ）。すなわち、当該場合には、障子３の上部における戸先側は、ローラ５１３により、室内側及び室外側へのがたつきが抑制される。
一方、障子３が閉位置に移動する際には、ローラ５１３は、案内溝２６４から引寄せ溝５２６内に移動し、凹曲面５２４ａ及び凸曲面５２３ａにより、室外側に案内される（図１１Ｂ）。すなわち、障子３の上部における戸先側は、室外側に引き寄せられる。
【００３８】
図１２Ａ及び図１２Ｂは、第２引寄せ機構６の動作を示す図である。なお、図１２Ａは、障子３が閉位置以外の位置に位置している場合での第２引寄せ機構６の動作を戸尻側から見た縦断面図である。図１２Ｂは、障子３が閉位置に位置している場合での第２引寄せ機構６の動作を戸尻側から見た縦断面図である。
障子３が閉位置以外の位置で移動している場合には、凸部６１２は、外突出部２６３の室外側の面上を摺動する（図１２Ａ）。すなわち、当該場合には、障子３の上部における戸尻側は、凸部６１２により、室内側へのがたつきが抑制される。
一方、障子３が閉位置に移動する際には、凸部６１２は、外突出部２６３の室外側の面から凸曲面６２２ａに乗り上げ、室外側に案内される（図１２Ｂ）。すなわち、障子３の上部における戸尻側は、室外側に引き寄せられる。第１，第２引寄せ機構５，６により障子３の上部における戸先側及び戸尻側が室外側に引き寄せられることで、障子３の上部は、見付け面２１１ａとの間でシール材Ｓ（圧接部Ｓ２）を押し潰す（図１１Ｂ，図１２Ｂ）。そして、障子３の上部と見付け面２１１ａとの間で室内側への漏水が防止される。
【００３９】
図１３Ａ、図１３Ｂ、図１４Ａ、及び図１４Ｂは、ガタ防止機構７の動作を示す図である。なお、図１３Ａ及び図１４Ａは、障子３が閉位置以外の位置に位置している場合でのガタ防止機構７の動作を戸尻側からそれぞれ見た縦断面図及び斜視図である。図１３Ｂ及び図１４Ｂは、障子３が閉位置に位置している場合でのガタ防止機構７の動作を戸尻側からそれぞれ見た縦断面図及び斜視図である。
障子３が閉位置以外の位置で移動している場合には、摺動片８３は、コイルバネ８４の付勢力により摺動位置に位置付けられ、内突出部２６２の室内側の面上を摺動する（図１３Ａ，図１４Ａ）。すなわち、当該場合には、障子３の上部における戸尻側は、摺動片８３により、室外側への移動が規制される（室外側へのがたつきが抑制される）。また、当該場合には、ローラ５１３及び摺動片８３により障子３の上部における戸先側及び戸尻側の室外側への移動を規制することで、障子３の上部は、シール材Ｓに対して所定の隙間を確保しつつ、移動する。
一方、障子３が閉位置に移動する際には、摺動片８３は、傾斜面９２１に当接し、コイルバネ８４の付勢力に抗して非摺動位置へと回動する（図１３Ｂ，図１４Ｂ）。そして、第１，第２引寄せ機構５，６による障子３の上部の室外側への引き寄せが可能となる。
【００４０】
なお、障子３の戸先部は、当該障子３が閉位置に位置している状態において、グレモン錠Ｌ１を錠受けＬ３に係合させることにより、室外側に引き寄せられる。そして、障子３の戸先部は、見付け面２３１ａとの間でシール材Ｓ（圧接部Ｓ２）を押し潰す（図３）。
また、障子３の召合せ部は、当該障子３が閉位置に移動する際に、係合片Ｌ５が係合受け部Ｌ６に係合することにより、室外側に引き寄せられる。そして、障子３の召合せ部は、見付け面２５ａとの間でシール材Ｓ（圧接部Ｓ２）を押し潰す（図３）。
図１５Ａ及び図１５Ｂは、戸車３８の動作を示す図である。なお、図１５Ａは、障子３が閉位置以外の位置に位置している場合での戸車３８の動作を示す縦断面図である。図１５Ｂは、障子３が閉位置に位置している場合での戸車３８の動作を示す縦断面図である。
さらに、障子３の下部は、当該障子３が閉位置に位置している状態において、当該障子３の上部、戸先部、及び召合せ部の室外側への引き寄せに連動（従動）して戸車３８が下レール部２７に対して傾斜することで、室外側に引き寄せられる（図１５Ｂ）。そして、障子３の下部は、見付け面２２１ａとの間でシール材Ｓ（圧接部Ｓ２）を押し潰す。
【００４１】
（その他の実施の形態）
ここまで、本発明を実施するための形態を説明してきたが、本発明は上述した実施の形態によってのみ限定されるべきものではない。
上述した実施の形態では、本発明に係る建具１を片引き窓で構成していたが、これに限らない。２枚以上の障子が左右方向にスライドする引違い窓や両袖片引き窓や引き分け窓、障子が上下方向に移動する上げ下げ窓等の各種の建具に本発明を採用しても構わない。
上述した実施の形態において、第１，第２引寄せ機構５，６及びガタ防止機構７の戸先側から戸尻側への配置順序は、上述した実施の形態で説明した順序に限らず、その他の配置順序を採用しても構わない。例えば、第２引寄せ機構６及びガタ防止機構７を上枠２１や上框３３における長手方向の同一位置に設けても構わない。
上述した実施の形態では、本発明に係る「障子の面外方向の一方側」を室外側としていたが、これに限らず、室内側としても構わない。
【符号の説明】
【００４２】
１  建具、２  枠体、３  障子、５，６  第１，第２引寄せ機構、７  ガタ防止機構、８  摺動機構、９  第３受け部材、２１  上枠（第１の枠材）、２２  下枠（枠材）、２３  戸先側縦枠（枠材）、２４  戸尻側縦枠（枠材）、２５  方立枠（枠材）、２６  上レール部（レール）、５２  第１受け部材、６１  引寄せ片、６２  第２受け部材、８１  支持部材、８３  摺動片、８４  コイルバネ（付勢部材）、２６４  案内溝、５１２  ピン本体（突起部）、５１３  ローラ（突起部）、５２３ａ  凸曲面（第１案内面）、５２４ａ  凹曲面（第１案内面）、５２６  引寄せ溝、６１２  凸部、６２２ａ  凸曲面（第２案内面）、９２１  傾斜面（第３案内面）、Ｏｐ１  第１開口（開口）
【図１】
2019085757.tif 000003
【図２】
2019085757.tif 000004
【図３】
2019085757.tif 000005
【図４Ａ】
2019085757.tif 000006
【図４Ｂ】
2019085757.tif 000007
【図５】
2019085757.tif 000008
【図６】
2019085757.tif 000009
【図７】
2019085757.tif 000010
【図８Ａ】
2019085757.tif 000011
【図８Ｂ】
2019085757.tif 000012
【図９Ａ】
2019085757.tif 000013
【図９Ｂ】
2019085757.tif 000014
【図１０】
2019085757.tif 000015
【図１１Ａ】
2019085757.tif 000016
【図１１Ｂ】
2019085757.tif 000017
【図１２Ａ】
2019085757.tif 000018
【図１２Ｂ】
2019085757.tif 000019
【図１３Ａ】
2019085757.tif 000020
【図１３Ｂ】
2019085757.tif 000021
【図１４Ａ】
2019085757.tif 000022
【図１４Ｂ】
2019085757.tif 000023
【図１５Ａ】
2019085757.tif 000024
【図１５Ｂ】
2019085757.tif 000025